(57)【特許請求の範囲】
【請求項１】
かごをワイヤで吊り下げて上下するエレベータにおいて、取付け基台に一対の軸受け部材を位置調整自在に取付け、モータ装置の減速装置部にモータ装置を取付け基台に取付けるための支持材を取付け、モータ装置から突出した回転軸を一対の軸受け部材の軸受け部に回転自在に挿入して２つの軸受け部により２点で支持し、取付け基台に大径孔を設け、大径孔にブッシュを大径孔の径方向に移動自在に遊嵌し、支持材に設けた孔からボルトを挿入してブッシュの孔に挿通してナットを締め付けることで支持材を取付け基台に対して回転軸の軸方向と直交する面に沿って位置調整自在に取付け、回転軸にワイヤを掛け回してワイヤを移動させるためのシーブを取付け、上記支持材にシーブを覆ってシーブからワイヤが外れるのを防止するためのシーブカバーを取付けて成ることを特徴とするエレベータ駆動装置へのシーブカバー取付け構造。
【発明の詳細な説明】
【０００１】
【発明の属する技術分野】
本発明は、かごをワイヤで吊り下げて上下するエレベータ駆動装置へのシーブカバー取付け構造に関するものである。
【０００２】
【従来の技術】
従来エレベータにおける駆動装置は、かごをワイヤで吊り下げて上下するエレベータにおいて、取付け基台に一対の軸受け部材を位置調整自在に取付け、モータ装置から突出した回転軸を一対の軸受け部材の軸受け部に回転自在に挿入して２つの軸受け部により２点で支持するとともに回転軸にワイヤを掛け回してワイヤを移動させるためのシーブを取付け、取付け基台にモータ装置を位置調整自在に取付けてある。そして、シーブに掛け回したワイヤによりかごを吊り下げ、モータ装置の駆動によりシーブを回動してかごを上下するようにしている。
【０００３】
このように各部材を位置調整自在に取付け基台に取付けているのは、保守、点検、交換等のために取付け基台より外して再び取付ける際に取付け位置の調整ができて取付けが容易となるようにするためである。
【０００４】
上記のようなかごをワイヤで吊り下げて上下するタイプのエレベータにおいて、かごを吊り上げて昇降する際の振動や揺れ等によりワイヤがシーブから外れるおそれがある。このため、従来にあっては、取付け基台に固定したシーブカバーによりシーブの上部を覆ってワイヤがシーブから外れないようにしている。
【０００５】
そして、かごを昇降させる際の振動や揺れ、あるいはかご内で人が動いたりすることによる振動や揺れによりシーブを設けたモータ装置や取付け基台が振動したり揺れたりする。しかし、従来から一対の軸受け部材を取付け基台に位置調整自在に取付けており、また、軸受け部材の軸受け部に対する回転軸のがたがあり、また、モータ装置を取付け基台に位置調整自在に取付けているので、シーブを取付けたモータ装置と取付け基台とは振動や揺れの状態が異なり、両者は相対的に同一の動きをしないことがある。したがって、従来のように取付け基台に固定したシーブカバーによりシーブを覆った場合、取付け基台の振動や揺れとシーブを取付けたモータ装置の振動や揺れが一致せずにずれるためシーブカバーがシーブに当たってシーブのスムーズな回転を阻害するという問題があった。
【０００６】
【発明が解決しようとする課題】
本発明は上記の点に鑑みてなされたものであり、かごを昇降させる際の振動や揺れ、あるいはかご内で人が動いたりすることによる振動や揺れによりシーブカバーとシーブとが相対的に同じ揺れや動きをし、シーブカバーがシーブに当たってシーブのスムーズな回転を阻害することがないエレベータ駆動装置へのシーブカバー取付け構造を提供することを課題とするものである。
【０００７】
【課題を解決するための手段】
上記課題を解決するために本発明に係るエレベータ駆動装置へのシーブカバー取付け構造は、かご１をワイヤ２で吊り下げて上下するエレベータにおいて、取付け基台３に一対の軸受け部材４を位置調整自在に取付け、モータ装置５の減速装置部５ｂにモータ装置５を取付け基台３に取付けるための支持材２３を取付け、モータ装置５から突出した回転軸６を一対の軸受け部材４の軸受け部７に回転自在に挿入して２つの軸受け部７により２点で支持し、取付け基台３に大径孔２４を設け、大径孔２４にブッシュ２５を大径孔２４の径方向に移動自在に遊嵌し、支持材２３に設けた孔２３ａからボルト２６を挿入してブッシュ２５の孔２５ａに挿通してナット２７を締め付けることで支持材２３を取付け基台３に対して回転軸６の軸方向と直交する面に沿って位置調整自在に取付け、回転軸６にワイヤ２を掛け回してワイヤ２を移動させるためのシーブ８を取付け、上記支持材２３にシーブ８を覆ってシーブ８からワイヤ２が外れるのを防止するためのシーブカバーＡを取付けて成ることを特徴とするものである。このような構成とすることで、かご１を昇降させる際の振動や揺れ、あるいはかご１内で人が動いたりすることによる振動や揺れにより取付け基台３、モータ装置５が振動したり揺れが生じ、この場合、取付け基台３の振動や揺れと、モータ装置５の振動や揺れとがずれて一致しないことがあるが、シーブカバーＡとシーブ８とは相対的に同じ揺れや動きをするものであり、したがって、シーブカバーＡがシーブ８に当たったりしないものである。またモータ装置５を取付け基台３に取付けるために用いる支持材２３を利用してシーブカバーＡを取付けることができる。また、モータ装置５の回転軸６を一対の軸受け部材４の軸受け部７により２点支持で安定して確実に支持できるものであり、しかも、このように一対の軸受け部７による２点支持で安定して回転軸６を支持するものにおいて、取付け基台３に大径孔２４を設け、大径孔２４にブッシュ２５を大径孔２４の径方向に移動自在に遊嵌し、支持材２３に設けた孔２３ａからボルト２６を挿入してブッシュ２５の孔２５ａに挿通してナット２７を締め付けることで支持材２３を取付け基台３に対して回転軸６の軸方向と直交する面に沿って位置調整自在に取付けるので、大径孔２４内においてこれよりも小径のブッシュ２５が移動できる範囲内で取付け位置を調整できて、取付け基台３へのモータ装置５の取付けが簡単に行えることになり、また、モータ装置５が回転しようとしてもブッシュ２５が大径孔２４の内壁面に当たることで、モータ装置５が回転しないように支持される。また、モータ装置５を取り外してメンテナンス、修理、交換をした後、再び取付けるに当たっては、モータ装置５の回転軸６を一対の軸受け部材４の軸受け部７に挿入して支持させ、モータ装置５は回転軸６に対して直交する方向に位置調整して取付け基台３に支持させるのみで、一対の軸受け部材４で回転自在に支持した回転軸６をモータ装置５で回転させた際に、モータ装置５が回転方向には回転しないように支持して回転軸６のみをスムーズに回転させてかご１を吊り下げているワイヤ２を確実に移動させることができるものである。
【０００９】
【発明の実施の形態】
以下、本発明を添付図面に示す実施形態に基づいて説明する。
【００１０】
建物内には図２乃至図４に示すように上下階にわたって連続するエレベータ昇降路９が形成してある。本発明においてはこのエレベータ昇降路９内の上部に軸受け部材４やモータ装置５からなる駆動装置を配設した取付け基台３が配設してある。
【００１１】
取付け基台３は添付図面に示す実施形態においては一対の固定枠３ａを載設固着した基台プレート３ｂの脚部３ｃを中間枠３ｄに載設固着し、中間枠３ｄを下枠３ｅに載設固着して構成してある。取付け基台３の一対の固定枠３ａの上面部にはそれぞれ軸受け部材４の下部を載設してボルト２２により固着してある。ここで、図１に示すように固定枠３ａの長孔５０に上記ボルト２２を挿入してナットにより固着することで、長孔５０に対してボルト２２をスライドすることで固定枠３ａへの軸受け部材４の取付け位置を調整自在としてある。そして上記調整は一対の軸受け部材４の軸受け部７の中心同士が同一軸芯上に位置するようにあらかじめ工場で組み立て時に調整するものである。なお、工場で組み立てる際に下枠３ｅは固定せず、下枠３ｅのみは現場で取付けるようにしてもよい。もちろん下枠３ｅを工場で中間枠３ｄにあらかじめ工場で固定しておいてもよい。
【００１２】
モータ装置５はモータ本体部５ａと減速装置部５ｂとで構成してあり、減速装置部５ｂから側方に回転軸６が突出させてある。ここでモータ本体部５ａにおけるモータの回転を減速装置部５ｂで減速されて回転軸６が回転するようになっている。上記のモータ装置５は通常一般に市販されているものを使用することができるが、このモータ装置５に支持材２３が取付けてあり、支持材２３は回転軸６と直交する方向に突出している。
【００１３】
そして、モータ装置５の回転軸６は図６乃至図１４に示すように一対の軸受け部材４の対向する軸受け部７に挿入して両軸受け部７により２点で支持させてある。この場合、回転軸６にはかご１を吊り下げ用のワイヤ２を掛け回すためのシーブ８が取付けられるものであり、シーブ８は一対の軸受け部材４間に配置される。
【００１４】
ここで、本発明においては、上記のように両軸受け部７によりモータ装置５の回転軸６を２点で支持してあるので回転軸６の支持は安定して十分にできるが、この状態でモータ装置５のモータを回転して回転軸６を回転しようとしてもモータ装置５が回転してしまうものである。したがって、本発明においてはモータ装置５が回転しないようにモータ装置５を取付け基台３に支持する必要がある。この場合、取付け基台３に対して１対の軸受け部材４相互の位置合わせ固定に加え、モータ装置５を取付け基台３に対して固定して、一対の軸受け部材４とモータ装置５との３点固定をして、回転軸６の軸芯を一対の軸受け部７に同一芯上に合わせるということはきわめて精密な精度が要求され、芯合わせを精密にしながら固定する作業がきわめて難しいものである。
【００１５】
そこで、本発明においては、モータ装置５を取付け基台３の回転軸６に対して直交する面に沿って取付け位置調整自在に取付けることで、一対の軸受け部７により支持する回転軸６を突設したモータ装置５の回転を防止するように取付け基台３に支持しながら取付け基台３の取付け位置を少なくとも回転軸６と直交する面に沿って調整して簡単に取付け基台３に支持させることができるようにしている。
【００１６】
図１５には取付け基台３にモータ装置５を回転軸６に対して直交する方向に取付け位置調整自在に支持して取付ける一例を示している。図１５においては取付け基台３の固定枠３ａの側面部に大径孔２４を設け、大径孔２４にブッシュ２５を大径孔２４の径方向に移動自在に遊嵌し、モータ装置５の支持材２３に設けた孔２３ａからボルト２６を挿入し、ブッシュ２５の孔２５ａに挿通してナット２７を締め付けることで支持材２３を固定枠３ａに取付けてあり、大径孔２４内にブッシュ２５が径方向に移動自在に遊嵌してあることで、支持材２３のボルト２６による取付け位置を調整できるようになっている。本実施形態では取付け位置の調整は回転軸６に対して直交する方向のみでなく、大径孔２４内においてこれよりも小径のブッシュ２５が移動できる範囲内で取付け位置を調整できるものである。そして、モータ装置５が回転しようとしてもブッシュ２５が大径孔２４の内壁面に当たることで、モータ装置５が回転しないように支持されるものである。
【００１９】
支持材２３の上部にはシーブカバーＡに設けた支持腕Ａ１が取付けてあり、シーブカバーＡによりシーブ８の上部を隙間を介して覆ってある。
【００２０】
上記のようにしてあらかじめ工場において一対の軸受け部材４と、シーブ８、シーブカバーＡを備えたモータ装置５とよりなる駆動装置３０を取付け基台３に取付けるものである。
【００２１】
そして、駆動装置３０を取付けた取付け基台３は現場に運ばれ、建物内に形成されたエレベータ昇降路９内の上部に配設されるものである。つまり、駆動装置３０をエレベータ昇降路９とは別の機械室に設置するのではなく、エレベータ昇降路９内の上部に配設して別の機械室を設けないようにするものである。
【００２２】
図６乃至図１４には駆動装置３０を取付けた取付け基台３をエレベータ昇降路９内の上部に配設する各例が示してある。図６、図７に示す実施形態、図１０、図１１に示す実施形態においては、エレベータ昇降路９の上部に位置する建築物の梁１０から吊り部材１１により取付け基台３を高さ調整自在に吊り下げることで、駆動装置３０を取付けた取付け基台３をエレベータ昇降路９内の上部に配設する例が示してあり、また、図８、図９に示す実施形態、図１２乃至図１４に示す実施形態にはかご１を上下方向に昇降自在にガイドするための昇降レール１２の上端部に横架材１３を架設し、横架材１３から吊り部材１１により取付け基台３を高さ調整自在に吊り下げた例が示してある。
【００２３】
また、図６，図７に示す実施形態、図８、図９に示す実施形態には吊り部材１１がボルト１４により構成してある例が示してある。本実施形態ではボルト１４に対するナット３１による締め付け位置を調整することで、エレベータ昇降路９内における駆動装置３０を取付けた取付け基台３の上下方向の高さを調整するようになっている。
【００２４】
また、図１０、図１１に示す実施形態においては、ボルト１４を上ボルト１４ａと下ボルト１４ｂとに上下に分割してあり、この上ボルト１４ａの下部の雄ねじ部と下ボルト１４ｂの上部の雄ねじ部とは逆ねじの関係となっている。また、上ボルト１４ａの下部と、下ボルト１４ｂの上部は回転体１５の上部の雌ねじ筒１５ａと下部の雌ねじ部１５ｂととにぞれぞれ螺合してあり、回転体１５の上部の雌ねじ筒１５ａと下部の雌ねじ筒１５ｂとは逆ねじの関係となっている。そして、上ボルト１４ａの上端部が建築物の梁１０又は昇降レール１２の上端部に架設した横架材１３に取付けてあり、また、下ボルト１４ｂの下端部を取付け基台３に取付けてあり、回転体１５を回転することで取付け基台３の上下方向の位置調整をするようになっている。このものにおいては、下ボルト１４ｂの下端部の取付け基台３に対する位置が一定にできて、これにより取付け基台３の上下高さの調整をしても、下ボルト１４ｂの下端部が取付け基台３の下方に長く飛び出すことがなくて、かご１や後述のつり合い重り３２等が上昇する際の邪魔にならないようにできるものである。
【００２５】
また、図１２乃至図１４に示す実施形態には吊り部材１１がアングル材やＣチャンネル材やＨ型材等の鋼材により構成してある例を示している。このものにおいてはアングル材やＣチャンネル材やＨ型材等の鋼材により吊り下げることで取付け基台３が振れにくくて強固に吊り下げることができるものである。本実施形態においては鋼材よりなる吊り部材１１に上下方向に一定ピッチで取付け孔３３を設け、取付け基台３を吊り部材１１に対して任意の取付け孔３３を利用してボルト３４、ナットにより取付けることで取付け基台３の上下方向の位置調整をすることができるものである。
【００２６】
上記したいずれの実施形態においても、吊り部材１１により吊り下げた取付け基台３は振れ止め手段により振れ止めしてある。振れ止め手段は、例えば取付け基台３に連結材１７を取付けるとともに連結材１７の端部を、かご１を上下方向に昇降自在にガイドするための昇降レール１２の上下方向の任意の位置に挟持金具１８により取付けることで構成してある。挟持金具１８は例えば図１６に示すようなもので、取付け基台３に連結材１７を固着し、連結材１７の縦片１７ａにボルト１８ｂ、ナット１８ｃにより挟持材１８ｄを取付け、連結材１７の縦片１７ａと挟持材１８ｄとで昇降レール１２を挟持するものであり、ナット１８ｃを締め付けることで昇降レール１２の上下方向の任意の位置で挟着することができるようになっている。これにより取付け基台３の位置を上下方向に調整しても、昇降レール１２を利用して昇降レール１２の上下方向の任意の位置に挟持金具１８で挟持することで簡単な構成で上下位置の調整に応じて振れ止め手段により振れ止めできるものである。
【００２７】
エレベータ昇降路９内にはかご１を取付けたかごプラットホーム３５が昇降自在に配置されるものである。かごプラットホーム３５は下横枠体と縦枠体３５ａとよりなるＬ状をしており、下横枠体にかご１が載設して取付けてある。エレベータ昇降路９内の上部に配設された取付け基台３に取付けた駆動装置３０のシーブ８に掛け回されたワイヤ２の一端部がプラットホーム３５に固着され、また、ワイヤ２の他端部につり合い重り３２が取付けてある。図５に示すように取付け基台３にはガイドローラ３７と振れ止めガイド３７ａとが設けてあり、昇降レール１２にガイドローラ３７が転動自在となっているとともに振れ止めガイド３７ａによって振れ止めしてある。また、つり合い重り３２には昇降ガイド部材３８が設けてあり、別の昇降レール１２に昇降ガイド部材３８が昇降自在に嵌めてあってつり合い重り３２の昇降のガイドをしている。
【００２８】
なお、図中４０はかご１に設けた開閉扉であり、４１は各階のエレベータホールの開口部に設けた各階用扉である。
【００２９】
ところで、かご１の昇降速度が設定された速度を外れるとこれを検知してかご１の昇降を停止するためのガバナと称される調速機１９が設けられるが、本発明においては、この調速機１９を取付け基台３の設定された位置にあらかじめ工場で取付けるものである。調速機１９には図５に示すようにかご１を載設するプラットホーム３５に設けたアーム４２に一端部を取付けたガバナロープ２１が掛け回され、このガバナロープ２１の下部を昇降レール１２に対して昇降する動滑車に掛け回すと共にガバナロープ２１の他端部がプラットホーム３５に取付けられるものである。
【００３０】
しかして、モータ装置５のモータを回転することで、一対の軸受け部材４によって２点で支持された回転軸６を回転し、シーブ８に巻回したワイヤ２を移動し、これによりかご１を昇降するのであるが、この場合、モータ装置５はモータ装置５を回転しても、取付け基台３に支持してあることで回転が阻止され、回転軸６のみが回転してスムーズにかご１を昇降することができるものである。
【００３１】
上記のようにかご１を昇降すると、昇降の際の振動や揺れ、あるいはかご１内で人が動いたりすることによる振動や揺れ、あるいはその他の要因によりワイヤ２がシーブ８から外れるようなことが生じるおそれがあるが、本発明においてはシーブカバーＡによりシーブ８の上部を隙間を介して覆っているので、ワイヤ２がシーブ８から外れようとしてもシーブカバーＡにより防止されるものである。
【００３２】
ここで、かご１を昇降させると、昇降の際の振動や揺れ、あるいはかご１内で人が動いたりすることによる振動や揺れによって取付け基台３、モータ装置５が振動したり揺れが生じたりする。この場合、取付け基台３に一対の軸受け部材４を位置調整自在に取付け、取付け基台３にモータ装置５を位置調整自在に取付けてあるので、取付け基台３に対してモータ装置５や軸受け部材４がずれ、これにより取付け基台３とシーブ８（すなわちモータ装置５）が相対的に同じ振動や揺れをしないことがあるが、本発明においてはシーブカバーＡとシーブ８とが共にモータ装置５に取付けてあるので相対的に同じ揺れや動きをするものであり、したがって、シーブカバーＡがシーブ８に当たったりせず、シーブ８のスムーズな回転を阻害することがないものである。
【００３３】
ところで、モータ装置５のメンテナンス、修理、交換に当たってモータ装置５を取り外す場合があるが、この場合には一対の軸受け部材４は取付け基台３に固着したままの状態で残し、モータ装置５のみを取付け基台３による支持を解除して取り外すものである。そして、モータ装置５のメンテナンス、修理、交換が終わると、モータ装置５を再び取付けるのであるが、この場合、モータ装置５の回転軸６を取付け基台３に所定の正確な位置関係で固着している一対の軸受け部材４の軸受け部７に挿入して支持させるものである。この場合、前述の取付けの際の説明と同様にモータ装置５は回転軸６に対して直交する方向に位置調整自在としてあることで、現場における取付けであるにもかかわらず簡単な位置調整で取付け基台３を回転方向には回転を阻止するように支持して取付けることができるものであり、モータ装置５の取付けが容易に行えるものである。このようにして取付けることで、一対の軸受け部材４で回転自在に支持した回転軸６をモータ装置５で回転させた際に、モータ装置５は回転方向には回転しないように支持して回転軸６のみをスムーズに回転させてかご１を吊り下げているワイヤ２を確実に移動させることができるものである。
【００３４】
【発明の効果】
上記のように本発明の請求項１記載の発明にあっては、取付け基台に一対の軸受け部材を位置調整自在に取付け、モータ装置の減速装置部にモータ装置を取付け基台に取付けるための支持材を取付け、モータ装置から突出した回転軸を一対の軸受け部材の軸受け部に回転自在に挿入して２つの軸受け部により２点で支持し、取付け基台に大径孔を設け、大径孔にブッシュを大径孔の径方向に移動自在に遊嵌し、支持材に設けた孔からボルトを挿入してブッシュの孔に挿通してナットを締め付けることで支持材を取付け基台に対して回転軸の軸方向と直交する面に沿って位置調整自在に取付け、回転軸にワイヤを掛け回してワイヤを移動させるためのシーブを取付け、上記支持材にシーブを覆ってシーブからワイヤが外れるのを防止するためのシーブカバーを取付けてあるので、かごを昇降させる際の振動や揺れ、あるいはかご内で人が動いたりすることによる振動や揺れにより取付け基台、モータ装置が振動したり揺れが生じ、この場合、取付け基台の振動や揺れと、モータ装置の振動や揺れとが一致しないことがあるが、シーブカバーとシーブとは相対的に同じ揺れや動きをするものであり、したがって、シーブカバーがシーブに当たったりしないものであり、この結果、シーブのスムーズな回転が阻害されず、シーブによるワイヤの移動が支障なく行えるものである。また、モータ装置を取付け基台に取付けるために用いる支持部材を利用してシーブカバーを取付けることができて構造が簡略化するものであり、モータ装置の回転軸を一対の軸受け部材の軸受け部により２点支持で安定して確実に支持するものにおいて、取付け基台に大径孔を設け、大径孔にブッシュを大径孔の径方向に移動自在に遊嵌し、支持材に設けた孔からボルトを挿入してブッシュの孔に挿通してナットを締め付けることで支持材を取付け基台に対して回転軸の軸方向と直交する面に沿って位置調整自在に取付けるので、大径孔内においてこれよりも小径のブッシュが移動できる範囲内で取付け位置を調整できて、取付け基台へのモータ装置の取付けが簡単に行えることになり、また、モータ装置が回転しようとしてもブッシュが大径孔の内壁面に当たることで、モータ装置が回転しないように支持でき、また、モータ装置を取り外してメンテナンス、修理、交換をした後、再び取付けるに当たって、モータ装置の回転軸を一対の軸受け部材の軸受け部に挿入して支持させ、モータ装置は回転軸に対して直交する面に沿って位置調整して取付け基台に支持させるのみで、簡単な構成でモータ装置の取付けができるとともに一対の軸受け部材で回転自在に支持した回転軸をモータ装置で回転させた際に、モータ装置が回転方向には回転しないように支持して回転軸のみをスムーズに回転させてかごを吊り下げているワイヤを確実に移動させることができるものである。
【図面の簡単な説明】
【図１】  本発明のシーブをシーブカバーで覆っている部分を示す図面で、（ａ）は正面図であり、（ｂ）は側面図である。
【図２】  本発明の概略正面図である。
【図３】  同上の概略側面図である。
【図４】  同上の昇降レールの配置を示す概略側面図である。
【図５】  同上の平面図である。
【図６】  同上の取付け基台の吊り下げを示す一実施形態の正面図である。
【図７】  同上の側面図である。
【図８】  同上の取付け基台の吊り下げを示す他の実施形態の正面図である。
【図９】  同上の側面図である。
【図１０】  同上の取付け基台の吊り下げを示す更に他の実施形態の正面図である。
【図１１】  同上の側面図である。
【図１２】  同上の取付け基台の吊り下げを示す更に他の実施形態の正面図である。
【図１３】  同上の側面図である。
【図１４】  同上の平面図である。
【図１５】  同上の支持材の取付けを示す一実施形態で、（ａ）は分解斜視図であり、（ｂ）は断面図である。
【図１６】  同上の取付け基台を昇降レールに挟持金具により取付けている状態の断面図である。
【符号の説明】
１  かご
２  ワイヤ
３  取付け基台
４  軸受け部材
５  モータ装置
５ｂ  減速装置部
６  回転軸
７  軸受け部
８  シーブ
２３  支持材
Ａ  シーブカバー
【図１】
0003757805.tif 000002
【図２】
0003757805.tif 000003
【図３】
0003757805.tif 000004
【図４】
0003757805.tif 000005
【図５】
0003757805.tif 000006
【図６】
0003757805.tif 000007
【図７】
0003757805.tif 000008
【図８】
0003757805.tif 000009
【図９】
0003757805.tif 000010
【図１０】
0003757805.tif 000011
【図１１】
0003757805.tif 000012
【図１２】
0003757805.tif 000013
【図１３】
0003757805.tif 000014
【図１４】
0003757805.tif 000015
【図１５】
0003757805.tif 000016
【図１６】
0003757805.tif 000017